(57)【特許請求の範囲】
【請求項１】
ドア枠体は金属枠の屋内側に樹脂枠を結合して構成され、前記金属枠に断熱ドアが収容されて開閉自在に支持される断熱ドア装置において、
前記樹脂枠の縦枠を、前記金属枠の縦枠の屋内側部分に固着される外枠と、その外枠に結合され、その外枠から前記ドア枠体の開口中心側に突出する内枠とに分割し、前記金属枠の縦枠の対向面と、前記樹脂枠の縦枠の外枠の対向面とを面一にし、前記外枠に前記樹脂枠の縦枠のドア収納部用内枠と欄間部用内枠のいずれをも結合可能な共通の結合部を設けたことを特徴とする断熱ドア装置。
【請求項２】
請求項１の断熱ドア装置において、前記樹脂枠の縦枠のドア収納部用内枠を、前記金属枠の縦枠の対向面よりもドア枠体の開口中心側に突出させ、前記内枠の屋外側面に前記断熱ドアが閉められた時にその断熱ドアの周縁部の屋内側面に密着するパッキングを取付け、そのパッキングを前記内枠と閉められた断熱ドアとの間に人の指が挟圧された場合に、その指の形状に応じて変形してその指を保護する弾性パッキングとしたことを特徴とする断熱ドア装置。
【請求項３】
請求項２の断熱ドア装置において、前記樹脂枠の縦枠のドア収納部用内枠の屋外側部分に、断熱ドア閉鎖時に押圧変形される弾性パッキングを支持する突縁を設けたことを特徴とする断熱ドア装置。
【請求項４】
請求項３の断熱ドア装置において、前記突縁の先端部を軟質樹脂で成形したことを特徴とする断熱ドア装置。
【発明の詳細な説明】
【０００１】
【発明の属する技術分野】
本発明は、ドア枠体に断熱ドアを収容し、開閉自在に支持してなる断熱ドア装置に関する。
【０００２】
【従来の技術】
建物躯体に固定されるドア枠体に断熱ドアを収容し、開閉自在に支持してなる断熱ドア装置においては、断熱性向上のため、ドア枠体の少なくとも上枠と左右の縦枠が、断熱ドアを収容し、開閉自在に支持する金属枠の屋内側に樹脂枠を結合してなるものがある（例えば、特開平９−２１７５６０号公報）。
【０００３】
しかし、従来の断熱ドア装置においては、樹脂枠は単一物に形成されていて、樹脂枠の縦枠は、金属枠の縦枠の対向面からドア枠体の開口中心方向に突出するように取付けられ、その樹脂枠の縦枠に閉められた断熱ドアの周縁部の屋内側面に密着するパッキングが取付けられている。
【０００４】
【発明が解決しようとする課題】
ところで、断熱ドア装置には、ドア収納部のみを有するドア枠体に断熱ドア（以下、単にドアという。）を開閉自在に支持する構造のもの（欄間なし断熱ドア装置）と、ドアを開閉自在に支持するドア収納部のほかに欄間部を備えた構造のもの（欄間付き断熱ドア装置）がある。
そして、ドア収納部の樹脂枠の縦枠は、閉められたドアをパッキングを介して支持する部分を構成する必要があり、欄間部の樹脂枠の縦枠は、欄間部にガラス板その他の欄間パネルを嵌め殺し状態に固定する構造の屋内側部分を構成する必要がある。
上記先行技術のように、上記構成要件を満たす単一種類の断面形状を有する樹脂枠の縦枠を用いる場合は、欄間付き断熱ドア装置の場合に、その樹脂枠の縦枠をドア枠体の縦枠の上端部から下端部まで連続させることができる利点を有する反面、次のような問題点がある。
第一に、樹脂枠の縦枠のドア収納部に対応する部分は、ドアを開放して荷物を搬入搬出する際に、荷物などをぶつけられて破損又は永久変形される場合があるが、従来は、このような場合は、当該樹脂枠の全部を新規な樹脂枠と交換する必要があり、修繕コストが高く付いてしまう。
第二に、樹脂枠は一体に成形され、ドア閉鎖時の気密性を確保するため、樹脂枠は閉められたドアの屋内側面に密着するように、金属枠の縦枠の対向面よりも開口中心側に突出されている。従って、欄間付きドア装置においては、無目の取付けの際は、無目の長手方向両端部を樹脂枠の前記金属枠の縦枠の対向面よりも開口中心側に突出する部分を逃げるように切除加工する必要があるため、施工コストがかかり、さらに、無目の取付け方向が限定されるため、施工も容易でない。
【０００５】
樹脂枠の縦枠を、ドアに当接する部分の断面形状と欄間パネルを支持する部分の断面形状が異なる２種類の縦枠、すなわち、ドア収納部に対応する縦枠と、欄間部に対応する縦枠とを各別に成形する場合は、金属製の無目の長手方向端部を金属枠の縦枠に接続する位置において樹脂枠の縦枠を上下に離間すると、断熱性が損なわれる恐れあるので、断熱性が損なわれないように連続させるためには、樹脂枠の上下の縦枠の突き合わせ端部を複雑な線に沿って正確に切除加工する必要があるので、生産性が良くない。
【０００６】
本発明は、上記問題点を解消するためになされたものであり、その課題は、ドア枠体の少なくとも上枠及び左右の縦枠が、金属枠の屋内側に樹脂枠を結合して構成されている断熱ドア装置において、欄間なし断熱ドア装置と、欄間付き断熱ドア装置のいずれの場合も、樹脂枠の一部構成部材の共通使用を可能にし、欄間なしか欄間付きかに応じてそれぞれ異なる他の構成部材を用いることにより、切除加工を不要にして、施工コスト及び修繕コストの低減化を図ることにある。
【０００７】
【課題を解決するための手段】
上記課題を解決するため、本発明は、ドア枠体は金属枠の屋内側に樹脂枠を結合して構成され、前記金属枠に断熱ドアが収容されて開閉自在に支持される断熱ドア装置において、前記樹脂枠の縦枠を、前記金属枠の縦枠の屋内側部分に固着される外枠と、その外枠に結合され、その外枠から前記ドア枠体の開口中心側に突出する内枠とに分割し、前記金属枠の縦枠の対向面と、前記樹脂枠の縦枠の外枠の対向面とを面一にし、前記外枠に前記樹脂枠の縦枠のドア収納部用内枠と欄間部用内枠のいずれをも結合可能な共通の結合部を設けたことを特徴としている（請求項１）。
上記構成により、樹脂枠の縦枠の外枠に、ドア収納部用内枠と欄間部用内枠のいずれをも結合可能な共通の結合部を備えているので、ドア収納部用内枠と欄間部用内枠とを用意すれば、外枠とドア収納部用内枠を結合することにより欄間なし断熱ドア装置用樹脂縦枠を構成し、外枠と欄間部用内枠及びドア収納部用内枠を結合することにより欄間付き断熱ドア装置用樹脂縦枠を構成することができる。また、金属枠の縦枠の対向面と、樹脂枠の縦枠の外枠の対向面とが面一とされているので、欄間付きドア装置の場合に、屋内側端部が金属枠の屋内側端部よりも屋内方向に延出する無目を用いる場合にも、長手方向端部を直角に切除しただけの無目を金属枠及び樹脂枠の縦枠の間に嵌合して、すなわち、樹脂枠に切除などの手間のかかる加工をせずに、無目の取付が可能である。さらに、樹脂枠の縦枠の内枠は、外枠に着脱自在に結合されるから、樹脂枠の内枠が、ドア装置の取付現場までの輸送中に、又は、取付け後に荷物を搬入搬出する際に破損等された場合に、その破損等された内枠のみを取り外して、新規なものと交換することができる。
【０００８】
請求項２の発明は、樹脂枠の縦枠の内枠を、前記金属枠の縦枠の対向面よりもドア枠体の開口中心方向に突出させ、前記内枠の屋外側面に前記断熱ドアが閉められた時にその断熱ドアの屋内側面に密着する前記パッキングを取付け、そのパッキングを前記内枠と閉められた断熱ドアの間に人の指が挟圧された場合に、その指の形状に応じて部分的に変形してその指を保護する弾性パッキングとしたことを特徴としている。
上記構成により、ドア閉鎖時にドアの基端部とドア枠の縦枠との間に残されていた手指がドアに押圧された時に、パッキングが指に対応して部分変形するので、指がドアと縦枠の間に挟圧されて怪我することが防止される。
【０００９】
請求項２の発明において、前記樹脂枠の縦枠の内枠の屋外側部分に、断熱ドア閉鎖時に押圧変形される弾性パッキングを支持する突縁を設けることが望ましい（請求項３）。
上記構成により、ドア閉鎖時に変形されるパッキングが支持されるため、過度な変形が防止され、ドア屋内側面に対する密着性能が保持され、水密性及び気密製が確保される。
【００１０】
前記突縁の先端部は、軟質樹脂で成形されていることが望ましい（請求項４）。
このような構成により、指挟圧時の弾性変形を容易にし、指に強い力が加わることが防止され、また、パッキングの劣化が軽減され、復元力が補助される。
【００１１】
【発明の実施の形態】
次に、本発明の実施例を、図面を参照しながら説明する。
図１は欄間なしの断熱ドア装置の横断面図、図２は同じく縦断面図、図３は樹脂枠の縦枠の構成を示す分解断面図、図４はパッキングの他の例の断面図、図５は同パッキングのドア閉鎖時の変形状態を示す断面図である。
【００１２】
図１，２において、Ｍはドア枠体Ｆの主たる構成要素である金属枠であり、この金属枠Ｍは、アルミニウム合金等の金属形材で作られた上枠（以下、金属上枠という。）１と、左右の縦枠（以下、金属縦枠という。）２と、下枠（以下、金属下枠という。）３とを、金属上枠と金属下枠に設けてあるビスホール１ａ，３ａを用いて、周知の方法により矩形に接続して構成され、所要の強度を有するとともに、その間に後述される断熱ドアＤを開閉自在に収容するドア収納部（開口）４を形成している。
【００１３】
金属上枠１及び左右の金属縦枠２は所要の強度を備えるため、筒状に形成されている。金属下枠３は図示の例では屋外側部分が下向き開口溝状に屋内側部分が上向き開口溝状に形成されているが、屋外側部分は所要の強度を備えるため筒状に形成されても良い。そして、金属上枠１はその屋内側部分にその金属上枠を、建物開口Ｏを形成する木枠の内、上枠５の屋外側面及び建物開口内側面にねじＮ１，Ｎ２により取付けるための取付縁１ｂ，１ｃを有する。
【００１４】
また、金属縦枠２は、その屋内側部分に開口（４）の中心から遠い側の部分に金属縦枠を建物開口Ｏを形成する木枠の内、縦枠６の屋外側面にねじＮ３により取付けるための取付縁２ａを有し、かつ、縦枠６の建物開口内側面に当接される当接縁２ｂを有している。
【００１５】
金属枠Ｍのドア収納部４にはドアＤが収納され、丁番７を介して開閉自在に取付けられる。ドアＤは、次のよう構成されている。すなわち、屋外側端部と屋内側端部に差込み溝８ａ，８ｂを備えた樹脂製の４本の周縁材８（上周縁材８1 、左右の縦周縁材８2 及び下周縁材８3 ）を矩形に連続させ、両縦周縁材８2 の内側に鋼製のねじ受け部材９を備えて、縦周縁材８2 の長手方向に間隔を置いた位置において、ねじ受け部材９の内側からねじＮ５を縦周縁材８2 にねじ込んで固定してある。そして、周縁材８の表裏両面側において、薄いスチール板１０の周辺に形成した屈曲縁の先端をそれぞれ隣接する各周縁材の差込み溝８ａ，８ｂに差込んで、中空パネルを構成してある。
【００１６】
その中空パネルの中には断熱材１１が備えられている。断熱材１１は、一例として、発泡性樹脂を中空パネルの中に発泡充填硬化させたものが使用されている。縦周縁材８2 の外側（中空パネルの中心に対して外側）は、アルミニウなどの金属形材で作られた装飾材１２により被覆され、その装飾材１２は、その外側から前記ねじ受け部材９にねじ込まれるねじＮ６により固着されていて、ドアＤを補強している。
【００１７】
ドアＤの吊り元側（図１では左側）の装飾材１２には、上下方向の複数箇所にドアＤを金属縦枠２に回転自在に支持するための前記丁番７の一方のナックル７ａが固着されている。丁番の他方のナックル７ｂは、金属縦枠２の開口に臨む面に固着されている。
【００１８】
ドアＤの戸先側（図１では右側）の装飾材１２には、その屋外側端部から丁番７から遠ざかる方向に延出する戸当たり部１２ａが一体に形成されている。そして、ドアＤを閉めると、図示を省略されたドアチェッカーにより、戸当たり部１２ａに装着されたパッキングｐ１が金属縦枠２の屋外側面の凹面２ｃに押圧密着されるようになっている。
【００１９】
この状態において、ドア枠体Ｆとドア周縁部の屋外側面には、いずれも金属材質が露見されて、統一された意匠を呈している。
【００２０】
金属枠Ｍの屋内側部分には樹脂枠Ｐが接続されている。樹脂枠Ｐは、上記金属上枠１、左右の金属縦枠２のそれぞれの屋内側部分に接続される上枠（以下、樹脂上枠という。）２１と、左右の縦枠（以下、樹脂縦枠という。）２２から構成されている。
【００２１】
樹脂枠Ｐの樹脂上枠２１は、これを金属上枠１の屋内側部分の開口中心側に設けられた係止縁１ｄに係止し、かつ、取付縁１ｃにねじＮ７により固着することにより、金属上枠１に接続されている。そして、樹脂上枠２１の屋外側端部にパッキングｐ２が取付けられている。パッキングｐ２の取付構造は任意であるが、図示の例は、樹脂上枠２１に形成されたあり溝にパッキングｐ２の屋内側部分に設けたありほぞを摺動嵌合する構造を採っている。
【００２２】
金属下枠３の屋内側部分には、段部３ｂが樹脂枠の見込み幅と等しい見込み幅をもって延長して形成され、その段部３ｂに上方に開口する溝３ｃが形成され、その溝３ｃに上面がギザギザに形成されたゴム製の滑止め部材２３が嵌着されている。また、段部３ｂの屋外側面に閉められたドアＤに密着するパッキングｐ３が取付けられている。
【００２３】
本発明においては、少なくとも樹脂縦枠２２は、金属縦枠２に接続される外枠２２ｏと、その外枠に結合されて、ドア枠体の開口中心側に突出する内枠２２ｉとに分割形成されている。
【００２４】
そして、外枠２２ｏは、金属縦枠２２の全長とほぼ等しい長さを有し、金属縦枠２の屋内側面と当接縁２ｂに係合した状態でその当接縁からねじＮ８をねじ込むことにより金属縦枠２に接続されるようになっている。この場合、外枠２２ｏが金属縦枠２に接続された時は、外枠の内側面（開口中心側の面）が金属縦枠２の内側面（開口中心側の面）と面一になるように、外枠２２ｏの見付け方向寸法が設定されている。
【００２５】
図３に示すように、外枠２２ｏの開口中心側の面には、後述されるドア収納部用内枠２２ｉ又は欄間部用内枠２２ｉ’のいずれをも結合可能な共通な結合部としての係合溝２２ａが形成されている。また、内枠２２ｉには、その外側面（開口中心と反対側の面）に前記係合溝２２ａに押込み嵌入が可能な係合突起２２ｂが形成されている。こうして、内枠２２ｉは、外枠２２ｏに、これを金属縦枠２に接続する前又は接続した後に、係合突起２２ｂを係合溝２２ａに押込み嵌入して固定するか、好ましくはさらに、内枠２２ｉの長手方向間隔を置いた位置において内枠２２ｉから外枠２２ｏ方向にビス（図示省略）をねじ込むことにより、外枠２２ｏと内枠２２ｉとが一体的に結合される。
【００２６】
内枠２２ｉは、樹脂枠Ｐが金属枠Ｍに接続された状態において、金属縦枠２の内側面よりも開口中心側に突出する突縁２２ｃを有し、その突縁の屋外側面にパッキングｐ４が取付けられている。パッキングｐ４の取付構造も任意であるが、図示の例は、突縁２２ｃに形成されたあり溝にパッキングｐ４の屋内側部分に設けたありほぞを摺動嵌合する構造を採っている。
【００２７】
パッキングｐ４は、金属縦枠２に取付けられたドアＤの閉鎖時に、そのドアの屋内側面に当たって弾力的に変形して密着する形状を備えている。図１及び図３に示す例では、パッキングｐ４の弾力的変形を可能にするため、角筒部４１とその角筒部から屋外方向に突出する２枚のフィン４２とを有している。パッキングｐ４の、あり溝に嵌合され、かつ、突縁２２ｃに当接される部分は、内枠２２ｉに対する取付け安定性を高めるため、硬質樹脂で成形されている。
【００２８】
さらに、好ましい実施例では、パッキングｐ４が閉められるドアが強く当たった際に急激に変形されてパッキングｐ４が内枠２２ｉから離脱したり、過度に潰されることを防止するため、内枠２２ｉの屋外側端部に開口中心方向に突出し、かつ、ドア閉鎖時に変形されるパッキングｐ４を支持する突起２２ｄが形成されている。さらに、その突起２２ｄの先端部を軟質樹脂で成形することにより、変形されるパッキングｐ４を柔らかく支持して、パッキングの破損を防止し、かつ、過度な変形を防止している。
【００２９】
パッキングｐ４は、閉鎖されたドアの屋内側面とパッキングの間に人の指が挟まれた場合に、その指の形状に応じて潰れて、指に過大な挟圧力が加わらないように、しかも、指を挟んでいない時は、ドアの屋内側面に押圧密着して十分な気密性を確保できるような厚みと弾性を有している。
【００３０】
上記気密性の確保と怪我防止の機能を備えていれば、パッキングｐ４の断面形状は、とくに限定されないが、指が挟まれた場合の適度な弾性変形と指が挟まれていない場合の気密性の確保の両条件を満たすため、図４に例示するように、硬質樹脂で成形される嵌着部２４1 に接合される筒部２４2 に中空の当接部２４3 を一体に形成した形状としても良い。この中空の当接部２４3 の外側（開口中心に対して外側）に薄いフィン２４4 を設けても良い。図５はドア閉鎖時の図４のパッキングｐ４の形状変化及び密着状態を示している。
【００３１】
上記パッキングｐ２〜ｐ４は、金属枠Ｍに樹脂枠Ｐを接続した状態において、開口４の周縁部に沿って矩形に連続し、閉められたドアの周縁部屋内側面に押圧密着して、ドアとドア枠との間に高い気密性及び断熱性を確保する。
【００３２】
上記構成による欄間なし断熱ドア装置は、金属上枠１に樹脂上枠２１を、金属縦枠２に樹脂枠の外枠２２ｏ及び内枠２２ｉをそれぞれ接続した後、金属縦枠及び樹脂外枠の上端部対向面に金属上枠１及び樹脂上枠２１の長手方向端面を密着させ、金属縦枠及び樹脂外枠の下端部対向面に金属下枠の長手方向両端面を密着させて、両金属縦枠の外側から金属上枠１と金属下枠３のビスホール１ａ，３ａにねじをねじ込むことにより、矩形に連続するドア枠体Ｆが構成されている。この場合、樹脂内枠２２ｉの上端部と下端部は、それぞれ樹脂上枠２１の下端面形状と滑り止め部材２３の上面形状に応じて切断されている。
【００３３】
そして、上記ドア枠体Ｆは、これを建物開口Ｏに屋外側から嵌合し、金属上枠１の取付縁１ｂ、１ｃ及び金属縦枠の取付縁２ａからねじＮ１，Ｎ２，Ｎ３を建物開口枠５，６にねじ込み、さらに樹脂上枠２１及び樹脂内枠２２ｉの開口内側面からねじＮ２，Ｎ４をねじ込むことにより、建物に取付けられる。
【００３４】
ねじＮ２、Ｎ４のねじ込みを終了した後は、樹脂上枠２１及び樹脂内枠２２ｉの溝にカバー材２５を嵌着してその溝を塞ぎ、樹脂枠の内観体裁の向上が図られている。
【００３５】
この状態において、屋外側には金属上枠１と金属縦枠２と金属下枠３が矩形に連続している状態が露見されるとともに、ドアの左右の縦辺には金属装飾部材１２が露見されて、統一された意匠を呈する。また、屋内側には樹脂上枠２１と樹脂縦枠２２が門形に連続して露見されて、統一された意匠を呈する。そして、閉められたドアの周縁部の屋内側面には、樹脂上枠２１、樹脂縦枠２２及び金属下枠３に取付けられているパッキングｐ２〜ｐ４が密着するので、高い断熱性と気密性が得られる。
【００３６】
図６及び図７は、欄間付き断熱ドア装置の断面図であって、図６は縦断面図、図７は欄間部における横断面図である。欄間付き断熱ドア装置の金属枠の金属上枠１、金属縦枠２及び金属下枠３は、上記欄間なし断熱ドア装置のものと同一の形材が用いられるが、金属縦枠２はドア収納部から欄間部まで所要の高さまで延長されている。
【００３７】
そして、金属縦枠２の屋内側部分に取付けられる樹脂枠を構成する部材のうち、外枠２２ｏは金属下枠３の段部３ｂの下端から金属上枠１の取付縁１ｃの上端まで一体に連続する長さを有し、金属縦枠２の当接縁２ｂに結合されている。
【００３８】
金属上枠１の屋内側部分に取付けられる樹脂上枠２１は、欄間なし断熱ドア装置の樹脂上枠２１と同一部材であり、その長手方向両端面を樹脂縦枠の外枠２２ｏの上端部の対向面に突き当てた状態で金属上枠１に接続されている。しかし、この樹脂上枠１のあり溝には、パッキングｐ２に代えて、後述される欄間パネルＧに密着されるビードｂ１が取付けられている。
【００３９】
欄間付き断熱ドア装置の場合は、金属縦枠２の中間において金属無目１３が接続されて、この金属無目１３と金属縦枠２と金属下枠３とによりドア収納部４が形成され、金属上枠１と金属縦枠２と金属無目１３により欄間部１４が形成されている。
【００４０】
金属無目１３は、金属縦枠２の屋外側の凹面２ｃから金属縦枠２の屋内側面までの距離と等しい見込み幅を有して、金属無目１３の屋内側部分に樹脂無目１５が上下に隔てた位置においてねじＮ５，Ｎ６により接続されている。樹脂無目１５の下端部は、金属無目１３よりも下方に突出され、その突出部の屋外側面に、閉められたドアの上端部内側面に密着するパッキングｐ２が取付けられている。
【００４１】
断熱ドア装置の外観体裁向上の目的から、無目の見込み幅、すなわち、金属無目１３の屋外側面から樹脂無目１５の屋内側面までの距離は、縦枠の見込み幅、すなわち、金属縦枠２の凹面２ｃから樹脂枠の内枠２２ｉの屋内側面までの距離と等しくされている。また、無目は、その長手方向両端部を長手方向に対して直角に切断して完成されている。そして、金属縦枠２の開口４に臨む内側面と、樹脂縦枠の外枠２２ｏの開口に臨む内側面とが面一であるため、無目は、その長手方向端部を切除加工する必要なしに、金属縦枠２の間にその無目の屋外側面が金属縦枠の屋外側凹面２ｃと整列し、かつ、無目の屋内側面が樹脂縦枠２２の屋内側面と整列するまで挿入して、金属縦枠２の外側（開口中心と反対側）からねじＮ７を無目のビスホール１３ａにねじ込むことにより、接続されている。
【００４２】
樹脂縦枠の外枠２２ｏのドア収納部４に対応する部分には、先の欄間なし断熱ドア装置の内枠２２ｉと同一形状を有するドア収納部用内枠２２ｉが結合されている。この場合、ドア収納部用内枠２２ｉの下端部は長手方向に直角に切断されていて、その下端面が金属下枠３の溝３ｃに嵌着されているゴム製滑り止め部材２３の上面に密着される。また、ドア収納部用内枠２２ｉの上端部は樹脂無目１５の下端面形状に沿って段状に切断されていて、その上端面を樹脂無目１５の下端面に密着される。
また、外枠２２ｏの欄間部に対応する部分には、欄間部用内枠２２ｉ´が結合されている。この欄間部用内枠２２ｉ´の上端部は樹脂上枠２１の下端面形状に沿って段状に切断され、下端部は樹脂無目１５の上面形状に沿って切断されていて、内枠２２ｉ´の上端面と下端面をそれぞれ樹脂上枠２１の下端面と樹脂無目１５の上端面に密着させた状態で、ねじＮ８により接続されている。
【００４３】
金属上枠１の下面及び金属縦枠２の欄間部における内面には、例えば複層ガラスなどの欄間パネルＧの上辺及び縦辺を固定するための固定部材１６，１７がねじＮ９により固定され、また、金属無目１３の上辺には欄間パネルＧの下辺を固定するための固定部材１８が金属無目１３に一体に成形されている。各固定部材１６，１７，１８の先端には、矩形に連続するビードｂ２が装着されている。
【００４４】
そして、欄間パネルＧの上縁部を上辺固定部材１６のビードｂ２と樹脂上枠２１のビードｂ１の間に上向きに押し込んだ後、若干引き下げて、欄間パネルＧの下縁部を金属無目１３の上辺に備えたスペーサ１９の上に載せるとともに、その欄間パネルＧの周縁部の屋外側面をビードｂ２に当接させ、屋外側端部にビードｂ３を装着されている押し縁２０を欄間部用内枠２２ｉ´に形成してある嵌合溝２２ｃ及び樹脂無目１５に形成してある嵌合溝１５ａにそれぞれ押し込み嵌着して、各押し縁２０のビードｂ３を欄間パネルＧの周縁部の屋内側面に押圧当接させて、欄間パネルＧが嵌め殺し式に取付けられている。
【００４５】
上記のようにドア収納部４にドアＤを取付け、欄間部１４に欄間パネルＧを取付た断熱ドア装置は、上記実施例の場合と同様にして建物開口に嵌合され、建物に取付けられる。  なお、樹脂上枠２１、樹脂縦枠２２の内枠２２ｉ，２２ｉ´のねじＮ２，Ｎ４をねじ込む部分は溝状に形成されていて、ねじ込み終了後に、その溝を塞ぐカバー２５が嵌着されて、内枠の内観体裁の向上が図られている。
【００４６】
ドア装置の組み立てが終了した状態においては、屋外側には耐候性に優れた金属材が露見されて統一された意匠を呈し、屋内側には装飾性と断熱性に優れた樹脂材が露見されて、統一された意匠を呈する。そして、樹脂枠は高い断熱性を備えているので屋内側面への結露を防止する。
【００４７】
【発明の効果】
上記のように、請求項１の発明によれば、樹脂枠の縦枠を金属枠の縦枠の屋内側部分に固着される外枠と、その外枠からドア枠体の開口中心側に突出する内枠とに分割し、前記外枠にドア収納部用内枠と欄間部用内枠のいずれをも着脱可能にしたので、１種類の外枠とドア収納部用内枠と欄間部用内枠とを用意することにより、欄間なし断熱ドア装置においては、一つの外枠にドア収納部用内枠のみを結合して樹脂縦枠を構成することができ、欄間付き断熱ドア装置においては、一つの外枠にドア収納部用内枠及び欄間部用内枠とを結合して樹脂縦枠を構成することができる。
【００４８】
また、金属縦枠の開口内側面と樹脂縦枠の外枠の内側面とを面一にしたので、無目をその長手方向両端部を直角に切断した状態で両金属縦枠の間に挿入して取付けることができるから、無目の加工は簡単であり、金属縦枠及び樹脂縦枠の切除加工が不要であるので、欄間付き断熱ドア装置の施工コストが格段に削減される。
【００４９】
また、樹脂縦枠の内枠は、外枠に着脱自在に結合されるから、樹脂縦枠の内枠が、断熱ドア装置の搬送途中に又は設置後、出入口の荷物搬入搬出時に、内枠が破損されたり、永久変形をしたような場合は、その破損などした内枠のみを新規なものと交換することができる。従って、修繕コストが低減される。
【００５０】
さらに、外枠と内枠とに分割構成された場合は、欄間付きドア装置においては、外枠を樹脂上枠から金属下枠まで連続するものを用い、ドア収納部と欄間部にそれぞれ対応する所要の断面形状を有する内枠を用いることにより、無目と縦枠とを接続する部分において、樹脂縦枠が上下に離間されることがないので、無目部分における断熱性低下の問題が生じない。
【００５１】
請求項２の発明によれば、樹脂縦枠のドア収納部用内枠を金属縦枠の対向面よりもドア枠体の開口中心側に突出させ、内枠の屋外側面に断熱ドアが閉められた時にその断熱ドアの周縁部の屋内側面に密着するパッキングを取付け、そのパッキングを内枠と閉められた断熱ドアとの間に人の指が挟圧された場合に、その指の形状に応じて変形してその指を保護する弾性パッキングとしたので、怪我が防止される。
【００５２】
請求項３の発明によれば、弾性パッキングの過度な変形が防止されるので、断熱性能及び気密性能が低下することがない。
【００５３】
請求項４の発明によれば、指挟圧時のパッキングの弾性変形が容易にできるとともに、閉められたドアに対する弾性密着が保証される。
【図面の簡単な説明】
【図１】  欄間なしの断熱ドア装置の横断面図。
【図２】  同じく縦断面図。
【図３】  樹脂枠の縦枠の構成を示す分解断面図。
【図４】  パッキングの他の例の断面図。
【図５】  同パッキングのドア閉鎖時の変形状態を示す断面図。
【図６】  欄間付き断熱ドア装置の縦断面図。
【図７】  欄間付き断熱ドア装置の欄間部における横断面図。
【符号の説明】
Ｆ    ドア枠体
Ｍ    金属枠
１    金属上枠
２    金属縦枠
３    金属下枠
４    ドア収納部
Ｐ    樹脂枠
２１    樹脂上枠
２２    樹脂縦枠
２２ｏ  外枠
２２ｉ  内枠
Ｄ    ドア
１３    金属無目
１４    欄間部
１５    樹脂無目
Ｇ    欄間パネル
２２ｉ´内枠
【図１】
0003723108.tif 000002
【図２】
0003723108.tif 000003
【図３】
0003723108.tif 000004
【図４】
0003723108.tif 000005
【図５】
0003723108.tif 000006
【図６】
0003723108.tif 000007
【図７】
0003723108.tif 000008